(57)【特許請求の範囲】
【請求項１】
複数の絵文字指定データを記憶する絵文字指定データ記憶手段と、
前記複数の絵文字指定データのうち、所定の選択開始処理がなされた後の一連の選択処理において、未だ選択されていない絵文字指定データの中からランダムに１の絵文字指定データを選択する第１法則、または所定の選択開始処理がなされた後の一連の選択処理において、既に選択されたか否かに関係なく、前記複数の絵文字指定データの中からランダムに１の絵文字指定データを選択する第２法則とのいずれかの選択法則にしたがって、前記１の絵文字指定データを選択する絵文字指定データ選択手段と、
前記第１法則または前記第２法則のいずれかを指定する選択法則指定手段と、
前記選択法則指定手段により指定された選択法則にしたがって、前記絵文字指定データ選択手段により選択された前記１の絵文字指定データに対応する絵文字を被印刷媒体に印刷する印刷手段と、
を備えたことを特徴とする印刷装置。
【請求項２】
複数の絵文字指定データを記憶する絵文字指定データ記憶手段と、
前記複数の絵文字指定データの中から、ランダムに１の絵文字指定データを選択する絵文字指定データ選択手段と、
前記絵文字指定データ選択手段により選択された前記１の絵文字指定データに対応する絵文字を被印刷媒体に印刷する印刷手段と、を備え、
前記絵文字指定データ選択手段は、前記印刷手段による印刷を指示するための印刷キーの押下毎に前記１の絵文字指定データを選択することを特徴とする印刷装置。
【請求項３】
複数の絵文字指定データを記憶する絵文字指定データ記憶手段と、
前記複数の絵文字指定データの中から、ランダムに１の絵文字指定データを選択する絵文字指定データ選択手段と、
文字を入力する入力手段と、
前記入力手段により入力された文字をそのまま表示すると共に、前記絵文字指定データ選択手段により選択された前記１の絵文字指定データを不動マークで表示する表示手段と、
前記入力手段により入力された文字、並びに前記絵文字指定データ選択手段により選択された前記１の絵文字指定データに対応する絵文字をそのまま被印刷媒体に印刷する印刷手段と、
を備えたことを特徴とする印刷装置。
【請求項４】
前記絵文字指定データには、文字以外の絵柄を指定するものが含まれることを特徴とする請求項１、２または３に記載の印刷装置。
【請求項５】
前記複数の絵文字指定データから成るグループを少なくとも１以上記憶するグループ記憶手段と、
前記グループ記憶手段に記憶された１以上のグループの中から所望のグループを指定するグループ指定手段とを更に備え、
前記絵文字指定データ選択手段は、前記グループ指定手段により指定されたグループに属する複数の絵文字指定データの中から１の絵文字指定データを選択することを特徴とする請求項１ないし４のいずれかに記載の印刷装置。
【請求項６】
前記絵文字指定データを登録する絵文字指定データ登録手段を更に備え、
登録された前記絵文字指定データは、前記絵文字指定データ記憶手段に記憶されることを特徴とする請求項１ないし５のいずれかに記載の印刷装置。
【請求項７】
前記絵文字指定データは、外部の記憶装置より前記記憶手段に入力可能に構成されていることを特徴とする請求項１ないし６のいずれかに記載の印刷装置。
【請求項８】
前記被印刷媒体がテープ状部材であることを特徴とする請求項１ないし７のいずれかに記載の印刷装置。
【請求項９】
複数の絵文字指定データを記憶し、
前記複数の絵文字指定データのうち、所定の選択開始処理がなされた後の一連の選択処理において、未だ選択されていない絵文字指定データの中からランダムに１の絵文字指定データを選択する第１法則、または所定の選択開始処理がなされた後の一連の選択処理において、既に選択されたか否かに関係なく、前記複数の絵文字指定データの中からランダムに１の絵文字指定データを選択する第２法則とのいずれかの選択法則にしたがって、前記１の絵文字指定データを選択可能であり、
前記第１法則または前記第２法則のいずれかユーザが指定した選択法則にしたがって選択された前記１の絵文字指定データに対応する絵文字を被印刷媒体に印刷することを特徴とする印刷方法。
【発明の詳細な説明】
【０００１】
【発明の属する技術分野】
本発明は、印刷装置および印刷方法に関するものである。
【０００２】
【従来の技術】
従来、番号だけが異なる複数枚の印刷物（ラベルなど）を作成する場合、１枚印刷するたびに数字やアルファベットの部分を自動的に加算して印刷する、いわゆる「連番機能」を有した印刷装置が知られている。これらの印刷装置は、例えば、「リスト１」、「リスト２」、「リスト３」・・・のように、所定の文字列に対し、１づつ増加させた数字を付したり、「Ａ担当」、「Ｂ担当」、「Ｃ担当」・・・のように、所定の文字列に対し、アルファベット順にアルファベットを付すことが可能である。
【０００３】
【発明が解決しようとする課題】
ところで、このように所定の文字に対し、順番に数字等を付したい場合は別として、使い方によっては、特に文字や絵柄の内容にはこだわらないが、所定の文字列に対して記号や絵柄をアクセント（飾り）として付したい場合（例えば「☆メモ」、「◆メモ」など）がある。このような場合、従来は、印刷の度に、適当に絵柄を変えてテキストの作成を行わなければ成らず、絵柄の入力に手間がかかった。
【０００４】
一方、上述した従来の「連番機能」を有した印刷装置は、一般に（ある意味当然であるが）、所定の文字列に予測可能な数字等を順次付加して印刷することを目的としている。すなわち、思い通りの文字列を思い通りに印刷することを目的としている。ところが、このような従来の印刷装置では、定型的な文字列の入力・編集・印刷を行うことしかできず、ユーザが飽きてしまうことも多い。また、見方を変えれば、所定の文字列に予測不可能な数字等を付加して印刷すれば、くじや占い等の娯楽に使用することが可能である。
【０００５】
そこで、本発明は、ユーザの印刷指示により複数の絵文字を順次ランダムに印刷することで、絵文字の設定の手間を省き、迅速且つ簡単に印刷を行うことができると共に娯楽性を備えた印刷装置および印刷方法を提供することを目的とする。
【０００６】
【課題を解決するための手段】
本発明の印刷装置は、複数の絵文字指定データを記憶する絵文字指定データ記憶手段と、前記複数の絵文字指定データのうち、所定の選択開始処理がなされた後の一連の選択処理において、未だ選択されていない絵文字指定データの中からランダムに１の絵文字指定データを選択する第１法則、または所定の選択開始処理がなされた後の一連の選択処理において、既に選択されたか否かに関係なく、前記複数の絵文字指定データの中からランダムに１の絵文字指定データを選択する第２法則とのいずれかの選択法則にしたがって、前記１の絵文字指定データを選択する絵文字指定データ選択手段と、前記第１法則または前記第２法則のいずれかを指定する選択法則指定手段と、前記選択法則指定手段により指定された選択法則にしたがって、前記絵文字指定データ選択手段により選択された前記１の絵文字指定データに対応する絵文字を被印刷媒体に印刷する印刷手段と、を備えたことを特徴とする。
また、本発明の他の印刷装置は、複数の絵文字指定データを記憶する絵文字指定データ記憶手段と、前記複数の絵文字指定データの中から、ランダムに１の絵文字指定データを選択する絵文字指定データ選択手段と、前記絵文字指定データ選択手段により選択された前記１の絵文字指定データに対応する絵文字を被印刷媒体に印刷する印刷手段と、を備え、前記絵文字指定データ選択手段は、前記印刷手段による印刷を指示するための印刷キーの押下毎に前記１の絵文字指定データを選択することを特徴とする。
また、本発明の他の印刷装置は、複数の絵文字指定データを記憶する絵文字指定データ記憶手段と、前記複数の絵文字指定データの中から、ランダムに１の絵文字指定データを選択する絵文字指定データ選択手段と、文字を入力する入力手段と、前記入力手段により入力された文字をそのまま表示すると共に、前記絵文字指定データ選択手段により選択された前記１の絵文字指定データを不動マークで表示する表示手段と、前記入力手段により入力された文字、並びに前記絵文字指定データ選択手段により選択された前記１の絵文字指定データに対応する絵文字をそのまま被印刷媒体に印刷する印刷手段と、を備えたことを特徴とする。
【０００７】
また、本発明の印刷方法は、複数の絵文字指定データを記憶し、前記複数の絵文字指定データのうち、所定の選択開始処理がなされた後の一連の選択処理において、未だ選択されていない絵文字指定データの中からランダムに１の絵文字指定データを選択する第１法則、または所定の選択開始処理がなされた後の一連の選択処理において、既に選択されたか否かに関係なく、前記複数の絵文字指定データの中からランダムに１の絵文字指定データを選択する第２法則とのいずれかの選択法則にしたがって、前記１の絵文字指定データを選択可能であり、前記第１法則または前記第２法則のいずれかユーザが指定した選択法則にしたがって選択された前記１の絵文字指定データに対応する絵文字を被印刷媒体に印刷することを特徴とする。
【０００８】
これらの印刷装置および印刷方法は、複数の絵文字指定データを記憶し、これらの絵文字指定データの中から、ランダムに１の絵文字指定データを選択すると共に、１の絵文字指定データに対応する絵文字を印刷することができる。このため、特に絵文字の内容・順序にはこだわらないが、ある特定の文字列に対して何か絵文字を飾りとして付したい場合など、ユーザは、１度印刷指示を出せば、その後印刷毎の絵文字の設定が必要なくなるため、迅速且つ簡単に印刷を行うことができる。また、１の絵文字指定データをランダムに選択するため、ユーザは次にどの絵文字が印刷されるかを予測するなど、印刷を楽しむことができる。
また、複数の絵文字指定データのうち、所定の選択開始処理がなされた後の一連の選択処理において、未だ選択されていない絵文字指定データの中から１の絵文字指定データを選択することで、一連の選択処理において既に選択した絵文字指定データを再度選択することがない。したがって、例えば、劇の配役を印刷された絵文字の順番で決める場合など、印刷結果と選択対象とを１対１で対応づける必要性がある場合に利用することができる。
また、所定の選択開始処理がなされた後の一連の選択処理において、既に選択されたか否かに関係なく、前記複数の絵文字指定データの中から１の絵文字指定データを選択することで、一連の選択処理において、既に選択した絵文字指定データを再度選択する事態が生じ得る。したがって、例えば、抽選会の当選者を印刷された絵文字で決める場合など、印刷結果が予測できない（既に当選した者も、また当選する可能性がある）ことが望ましいときに利用することができる。
【０００９】
なお、「絵文字指定データ」とは、「絵文字」を指定するための「文字コード」の他、「絵文字」そのものを表現する「ビットマップデータ」や、「絵文字」を指定するための「プログラムデータ」なども含むものである。すなわち、１の「絵文字指定データ」を選択することにより、結果的にこれに対応する「ビットマップデータ」を得られるものであればよい。また、「１の絵文字指定データの選択」は、印刷が終了した時点で行われてもよいし、ユーザにより印刷が指示された時点で行われてもよい。すなわち、結果的に、何らかのタイミングで選択された１の絵文字指定データに対応する絵文字が印刷されればよい。
【００１０】
また、絵文字の印刷はユーザにより、１回の印刷指示が成されたとき、一枚目の絵文字、２枚目の絵文字と続けて印刷されるよう構成してもよいし、１回の印刷指示で、一枚目の絵文字が印刷され、２回目の印刷指示で２枚目の絵文字が印刷されるよう構成してもよい。また、「絵文字」とは、上述の絵柄を表すものに限らず、「数字」、「ひらがな」、「漢字」、「外字」その他の一般のキャラクタを含むものである。
【００１１】
これらの場合、前記絵文字指定データには、文字以外の絵柄を指定するものが含まれることが好ましい。
【００１３】
この構成によれば、絵文字指定データが文字以外の絵柄を指定するものが含まれるため、視覚的にインパクトのある印刷物を作成することができると共に、印刷物の汎用性を向上させることができる。
【００１４】
これらの場合、前記複数の絵文字指定データから成るグループを少なくとも１以上記憶するグループ記憶手段と、前記グループ記憶手段に記憶された１以上のグループの中から所望のグループを指定するグループ指定手段とを更に備え、前記絵文字指定データ選択手段は、前記グループ指定手段により指定されたグループに属する複数の絵文字指定データの中から１の絵文字指定データを選択することが好ましい。
【００１６】
この印刷装置は、複数の絵文字指定データから成るグループを少なくとも１以上記憶しており、この中から所望のグループが指定されると共に、指定されたグループに属する複数の絵文字指定データの中から１の絵文字指定データが選択される。このため、ユーザは、例えば、「ジャンケン」というグループが存在する場合、「グー」、「チョキ」、「パー」の絵文字を指定する３つの絵文字指定データの中から次にどの絵文字指定データが選択されるか予測がつかないため、「ジャンケンゲーム」として楽しむことができる。また、「おみくじ」というグループが存在する場合、「大吉」、「中吉」、「凶」・・・などを表現する絵文字指定データの中からランダムに１の絵文字指定データが選択されるため、占いとしても楽しむことができる。このように、複数の絵文字指定データをグループ分けすることで、ユーザは様々な機能を楽しむことができる。
【００２１】
請求項１ないし５のいずれかに記載の印刷装置において、前記絵文字指定データを登録する絵文字指定データ登録手段を更に備え、登録された前記絵文字指定データは、前記絵文字指定データ記憶手段に記憶されることを特徴とする。
【００２２】
この構成によれば、ユーザの所望する複数の絵文字指定データを登録し、これを記憶することができる。例えば、「特等」、「１等」、「２等」、「はずれ」などの絵文字を登録して記憶しておけば、印刷指示により、ランダムに選択された１の絵文字指定データに対応する絵文字が印刷された印刷物（この場合は「当たりくじ」）を作成することができる。すなわち、ユーザの所望する目的（「当たりくじ」の作成）に必要な絵文字（「特等」、「１等」、「２等」、「はずれ」など）の絵文字指定データが予め記憶されていない場合、これらを登録して記憶しておけば、ユーザのニーズにあった印刷を行うことができる。
【００２３】
請求項１ないし６のいずれかに記載の印刷装置において、前記絵文字指定データは、外部の記憶装置より前記記憶手段に入力可能に構成されていることを特徴とする。
【００２４】
この構成によれば、記憶手段に記憶されていない絵文字指定データを外部の記憶装置より入力し、記憶手段に記憶させることができるため、ユーザのニーズにあった必要最小限の絵文字指定データだけを記憶させることができる。したがって、記憶容量を最小限にとどめることができると共に、これに伴って、記憶手段に記憶された絵文字指定データの中から１の絵文字指定データを迅速に選択することができる。
【００２５】
請求項１ないし７のいずれかに記載の印刷装置において、前記被印刷媒体がテープ状部材であることを特徴とする。
【００２６】
この構成によれば、被印刷媒体がテープ状部材であるため、テープ印刷装置に利用することができ、ラベルなどを作成する場合に便利である。また、被印刷媒体を巻回して印刷装置内に収容すれば、装置構成をコンパクトにすることができる。
【００２７】
【発明の実施の形態】
以下、本発明の一実施形態に係る印刷装置および印刷について、添付図面を参照しながら詳細に説明する。
【００２８】
図１および図２は、本実施形態におけるテープ印刷装置の全体および開閉蓋を開けたときの外観構成を示し、図３は、その制御系のブロック図である。図１および図２に示すように、このテープ印刷装置１は、上下２分割の装置ケース２により外殻が形成され、装置ケース２の前部上面には各種入力キーから成るキーボード３を備えている。後部上面は、その左部に開閉蓋２１が取り付けられ、その右部にディスプレイ４が配設されている。
【００２９】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００３０】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００３１】
図２および図３に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲとを収容されており、また、ポケット６に配設されたヘッドユニット６１に差し込むための貫通孔５５が形成されている。また、相異なる幅等のテープＴの種別を識別できるように、裏面に小さな複数の孔が設けられ、ポケット６には、この孔の有無を検出するマイクロスイッチなどのテープ識別センサ１４２が設けられていて、これにより、テープＴの種別を検出できるようになっている。
【００３２】
テープＴは、裏面に接着面が形成され、それが剥離紙によって覆われた構成になっている。テープＴとインクリボンＲは、貫通孔５５の位置で相互に重なり合った状態で走行するとともに、テープＴのみが外部に排出され、インクリボンＲは内部で巻き取られるようになっている。
【００３３】
ヘッドユニット６１には、サーマルヘッドから成る印刷ヘッド７が内蔵されており、テープカートリッジＣがポケット６に装着された状態で、印刷ヘッド７が、テープカートリッジＣの貫通孔５５から露出しているインクリボンＲの裏面に当たるようになっている。そして、印刷ヘッド７を発熱駆動することにより、所望の文字などがテープＴの表面に印刷される。また、装置ケース２の左側部には、ポケット６と装置外部とを連通するテープ排出口２２が形成され、テープ排出口２２には、送りだしたテープＴを切断するテープカッタが臨んでいる。また、ポケット６には、装着されたテープカートリッジ４の被駆動部が係合する駆動軸６２、６３などが設けられており、送りモータ１２１を駆動源として、これらの駆動軸６２、６３により、テープカートリッジＣ内のテープＴおよびインクリボンＲの送りが行われ、かつこれらに同期して印刷ヘッド７を駆動することで、印刷が行われる。また、印刷完了後、テープＴの送りが続行され所定の切断位置がテープカッタの位置まで送られる。
【００３４】
なお、送りモータ１２１の先端には図外の検出開口が形成された円盤が固着され、その検出開口に臨むようにフォトセンサ等を有する回転速度センサ１４１が設けられていて、送りモータ１２１の回転速度を検出して制御部２００に報告する。
【００３５】
切断部１３は、テープカッタと、任意長印刷などの場合に手動によりテープカッタを切断動作させるカットボタン１３３と、定長印刷などの場合に自動的にテープカッタを切断動作させるカッタモータ１３１と、を備えている。また、これにより、テープ印刷装置１では、モード設定によって、自動／手動を切り替えられるようにしている。このため、手動カットの場合、印刷が完了した時点で、ユーザが、装置ケース２に配設されたカットボタン１３３を押すことで、テープカッタが作動しテープＴが所望の長さに切断される。また、自動カットの場合、印刷が終了して余白分だけテープ送りされ、それが停止すると同時に、カッタモータ１３１が駆動され、テープＴの切断が行われる。
【００３６】
検出部１４は、前述の回転速度センサ１４１、テープ識別センサ１４２を備えている。なお、実状に合わせて、これらを省略した構成とすることもできる。
【００３７】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示にしたがって、操作部１１のディスプレイ４を駆動する。同様に、ヘッドドライバ２７２は、制御部２００の指示にしたがって、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示にしたがって、各モータを駆動する。
【００３８】
操作部１１は、キーボード３とディスプレイ４とを備えている。ディスプレイ４は、横方向（Ｘ方向）約６ｃｍ×縦方向（Ｙ方向）４ｃｍの長方形の形状の内側に、９６ドット×６４ドットの表示画像データを表示可能な表示画面４１を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００３９】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。機能キー群３２には、順次英数字または絵文字を付す印刷を指定する「連番」キー３３や、絵文字や記号の登録および呼出を指定する「記号」キー３４などが含まれる。なお、当然ながら、一般的なキーボードと同様に、これらのキー入力は、各キー入力毎に個別にキーを設けて入力しても良いし、シフトキー等と組み合わせてより少ない数のキーを用いて入力しても良い。図３に示すように、キーボード３は、種々の指令およびデータを制御部２００に入力する。
【００４０】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、色変換テーブルや文字修飾テーブルなどを含む制御データを記憶する制御データ領域２２２を有している。ＣＧ−ＲＯＭ２３０は、テープ印刷装置１に用意されている絵文字、記号、図形等のビットマップデータを記憶していて、文字等を特定するコードデータが与えられたときに、対応するビットマップデータを出力する。
【００４１】
ＲＡＭ２４０は、電源キーの操作により電源がオフにされても、記憶したデータを保持しておくように図外のバックアップ回路によって電源の供給を受けており、各種レジスタ群２４１や、ユーザがキーボード３から入力した文字等のテキストデータを記憶するテキストデータ領域２４２、表示画面４１の表示画像データを記憶する表示画像データ領域２４３、印刷画像データを記憶する印刷画像データ領域２４４、描画登録画像データを記憶する描画登録画像データ領域２４５の他、印刷履歴データ領域２４６やその他の色変換バッファなどの各種変換バッファ領域２４７などの領域を有し、制御処理のための作業領域として使用される。
【００４２】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００４３】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのビットマップデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００４４】
ここで、テープ印刷装置１を使用した印刷方法について説明する。前述の通り、本発明は、テキスト上の指定された場所にランダムに選択された絵文字指定データに対応する絵文字（以下、「ランダム絵文字」という）を印刷するものである。したがって、本発明の要点であるランダム絵文字の呼出、登録および印刷についてのみ、表示画面４１（図８ないし図１４）を参照しながら操作手順にしたがって説明する。
【００４５】
なお、図４は、ランダム絵文字の登録および呼出を指定する「記号」キー３４を押下したときのメニュー階層を示している。また、図５および図６は、そのメニュー階層の第一階層および第二階層で表示される絵文字候補の一覧を示している。
【００４６】
まず、図８および図９を参照して、通常のランダム絵文字（図５および図６に示す絵文字）の呼出方法について説明する。なお、ここでは、「ジャンケンゲーム」に使用する「グー」、「チョキ」、「パー」のカードを印刷するための操作を例に挙げて説明する。はじめに、「テキスト画面」において、ユーザによりテキスト「ジャンケン」が入力される。そして、ユーザがランダム絵文字の入力を所望する場所が、テキストの最後である場合以外は、カーソルＫがランダム絵文字の入力を所望する場所に移動される（Ｓ１１，  ここでは、カーソルＫは移動されない）。次にユーザにより「連番」キー３３が押下されると、画面４１は「連番選択画面」へ遷移し、「連続英数字」や「連続絵文字」の候補を表示する（Ｓ１２，  画面４１上には表示されていないが、カーソルキー３６（「↓」又は「→」又は「変換」キー）が押下されると「連続装飾」の候補を表示する）。また、ここでは、直近アクセス値（又はデフォルト値）の「連続英数字」を反転表示する。
【００４７】
なお、「連続英数字」は、ユーザによって印刷指示が成される毎に連続的にアルファベットや数字を印刷するものであり、「連続絵文字」は、ユーザによって印刷指示が成される毎に連続的に絵文字を印刷するものである。また、「連続絵文字」は、ユーザによって印刷指示が成される毎に連続的に絵文字を施すものである。ここでは、ユーザによりカーソルキー３６（「↓」又は「→」又は「変換」キー）が押下され、「連続絵文字」を網掛表示する（Ｓ１３）。
【００４８】
ここで、ユーザにより「選択」キー３８が押下されると、画面４１は「変更則選択画面」へ遷移し、「コード順」、「ランダム１」および「ランダム２」の候補を表示する（Ｓ１４）。このうち、「コード順」は、ユーザによって印刷指示が成される毎に、絵文字を指定する絵文字指定データ（文字コード）が格納されたアドレス順に絵文字を印刷するものである。また、「ランダム１」は、ユーザによって印刷指示が成される毎に、グループ内において既に選択された文字コードを除き、残りの文字コードの中から乱数を利用した無作為抽選が行われ、これにより選択された文字コードに対応する絵文字を印刷するものである（図７（ａ）参照）。したがって、一連の選択処理において既に選択した絵文字指定データを再度選択することがないため、例えば、劇の配役を印刷された絵文字の順番で決める場合など、印刷結果と選択対象とを１対１で対応づける必要性がある場合に利用することができる。
【００４９】
また、「ランダム２」は、ユーザによって印刷指示が成される毎に、既に選択された文字コードを除かず、グループ内の全ての文字コードを対象として乱数を利用した無作為抽選が行われ、これにより選択された文字コードに対応する絵文字を印刷するものである（図７（ｂ）参照）。したがって、一連の選択処理において、既に選択した絵文字指定データを再度選択する事態が生じ得るため、例えば、抽選会の当選者を印刷された絵文字で決める場合など、印刷結果が予測できない（既に当選した者も、また当選する可能性がある）ことが望ましいときに利用することができる。
【００５０】
ここ（「変更則選択画面」）では、ユーザによりカーソルキー３６（「↓」又は「→」又は「変換」キー）が２回押下され、「ランダム２」を網掛表示する（Ｓ１５）。そして、「選択」キー３８が押下されると、画面４１は「テキスト画面」に遷移する（Ｓ１６）。「テキスト画面」では、連続的に絵文字を選択することを示す反転「字」マークを表示する。ここで、反転「字」マークにカーソルＫがある状態でユーザにより「記号」キー３４が押下されると、画面４１は「記号選択画面」に遷移する（Ｓ１７）。なお、「テキスト画面」（Ｓ１６）において、更なるテキストの入力も可能である。
【００５１】
なお、「テキスト画面」において、反転「字」マークまたはこれに続く網掛表示部にカーソルＫがある状態（Ｓ１６または図９のＳ２１参照）の下階層での操作では、選択肢Ｇ２の「ランダム１」ないし「ランダム４」の選択肢は表示されない。また、カーソルＫがこの状態にある時に、再度「連番」キー３３を押下することはできない。
【００５２】
「記号選択画面」（Ｓ１７）では、直近アクセス値（又はデフォルト値）の「矢印」を反転表示し、ユーザによりカーソルキー３６（「↓」又は「→」又は「変換」キー）が１０回押下されると、グループ「遊び」を網掛表示する（Ｓ１８，  図４の選択肢Ｇ１参照）。なお、カーソルキー３６の押下に伴う候補の選択は、下方カーソルキー３６ａ（「↓」又は「→」又は「変換」キー）、または上方カーソルキー３６ｂ（「↑」又は「←」又は「無変換」キー）のいずれによって行われてもよく、ここでは、図４に示す選択肢Ｇ１の中でサイクリックに選択可能となっている。したがって、「遊び」を網掛表示するために、上方カーソルキー３６ａ（「↑」又は「←」又は「無変換」キー）を９回押下してもよい。また、シフトキーと組み合わせて、下方カーソルキー３６ａ（「↓」又は「→」又は「変換」キー）を押下すると、最終候補（ここではグループ「干支」）へジャンプするなど、迅速に記号選択が行えるよう構成してもよい。
【００５３】
次に、「遊び」を網掛表示した画面（Ｓ１８）において、ユーザにより「選択」キー３８が押下されると、画面４１は「遊び選択画面」に遷移し、直近アクセス値（又はデフォルト値）の「トランプ」を反転表示する（図９のＳ１９，  図６の選択肢Ｇ２参照）。ここで、ユーザによりカーソルキー３６（「↓」又は「→」又は「変換」キー）が３回押下されると、「ジャンケン」を網掛表示する（Ｓ２０）。そして、「選択」キー３８が押下されると、画面４１は「テキスト画面」に遷移する（Ｓ２１）。
【００５４】
「テキスト画面」（Ｓ２１）では、ランダム絵文字を示す反転「字」マークの隣に「ランダム絵文字」を示す「？」マークを網掛表示し、この網掛表示部がユーザからの印刷指示毎に、選択されたグループ（ここではグループ「ジャンケン」（選択肢Ｇ３，  図６参照））内でランダムに１の絵文字指定データが選択され、その絵文字指定データによって指定される絵文字（ランダム絵文字）が印刷されることを示している。なお、反転「字」マークの隣の「？」マーク部にカーソルＫがある状態で「削除」キーを押下すると、反転「字」マーク部へカーソルＫが移動する。
【００５５】
「テキスト画面」（Ｓ２１）において、ユーザにより「印刷」キー３７が押下されると、画面４１は「印刷実行画面」に遷移し、自動的に算出されたテープ長、検出されたテープ幅、並びに何枚目の印刷であるかを表示する（Ｓ２２）。テープは、表示したテープ長分だけ繰り出し、オートカットする。作成されたテープＴ１には、ランダム絵文字として「パー」マークが選択され、テキスト「ジャンケン」に付される（グループ「ジャンケン」の候補は図６の選択肢Ｇ３参照）。
【００５６】
印刷が完了すると、画面４１は「テキスト画面」に戻るが、画面４１上は（Ｓ２１）の画面と同様の表示がなされる（Ｓ２３）。ここで、「印刷」キー３７が押下されると、画面４１は「印刷実行画面」に遷移し（Ｓ２４）、テープＴ２が作成される。なお、このとき、２枚目の印刷であるので、画面４１上のテープ枚数の表示は、「２枚」となる。テープＴ２には、ランダム絵文字として、「グー」マークが選択され、テキスト「ジャンケン」に付される。このように、「印刷」キー３７を押下する毎にランダム絵文字が選択され、テープ上の所定の位置に印刷される。
【００５７】
なお、ランダム絵文字が入力される部分の空きピッチは、全角文字と同様である。したがって、絵文字指定データとしては全角文字サイズのものが好ましい。また、ランダム絵文字はユーザから連番印刷を終了する指示が成されるまで、繰り返し連続印刷がなされるが、「変更則選択画面」（図８のＳ１４参照）において、「ランダム１」を選択した場合は、グループ（ここではグループ「じゃんけん」）内で、絵文字指定データが一通り印刷されると終了するよう構成してもよい。
【００５８】
また、上記の例では、画面４１上において、ランダム絵文字を反転「字」マークの隣の「？」マークで表示したが、「？」マークではなく、次に印刷されるランダム絵文字をそのまま表示するようにしてもよい。この構成によれば、画面４１上で「ジャンケンゲーム」を楽しむことができる。
【００５９】
次に、絵文字指定データの登録について図１０、図１１および図１２を参照して説明する。なお、ここでは、「お天気占い」に使用する運勢カード（図１５参照）を作成するための操作を例に挙げて説明する。図１０に示すように、まず、「テキスト画面」において、ユーザによりテキスト「運勢；」が入力され（Ｓ３１）、ランダム絵文字の入力を所望する位置にカーソルＫが移動される（ここではカーソルキーＫは移動されない）。ここで「記号」キー３４を押下すると、直近アクセス値（又はデフォルト値）の「矢印」を反転表示し（Ｓ３２）、ユーザによりカーソルキー３６（「↑」又は「←」又は「無変換」キー）が１回押下されると、「連続１」を網掛表示する（Ｓ３３）。なお、図４の選択肢Ｇ４に示すように、ユーザが自分のオリジナルで登録可能なグループは４つある（「連続１」ないし「連続４」）が、オリジナルの「連続」グループ登録されていない場合には、候補としては「連続１」だけが表示される。また、既に「連続」グループが登録されている場合には、既に登録済みの候補がカーソルキー３６（「↓」又は「→」又は「変換」キー）の押下毎に表示される。
【００６０】
「連続１」を網掛表示（Ｓ３３）した状態で、ユーザにより「選択」キー３８が押下されると、画面４１は「連続処理内容選択画面」に遷移する（Ｓ３４）。ここでは、直近アクセス値（又はデフォルト値）の「登録」を反転表示し（Ｓ３４）、再度ユーザにより「選択」キー３８が押下されると、画面４１は「連続記号登録画面」に遷移する（Ｓ３５）。ここでは、連続対象となるランダム絵文字の入力開始を示す「［」マークが表示され、カーソルＫは「［」マークに付される。
【００６１】
この状態で、ユーザにより、「記号」キー３４が押下されると、画面４１は「記号選択画面」（Ｓ３２）と同様に、直近アクセス値（又はデフォルト値）の「矢印」を表示し（Ｓ３６）、カーソルキー３６（「↑」又は「←」又は「無変換」キー）が３回押下されると、候補としてグループ「暮らし」を網掛表示する（Ｓ３７，  図４の選択肢Ｇ１参照）。ここで、「選択」キー３８が押下されると、グループ「暮らし」の候補を表示し（図１１のＳ３８）、ユーザによりカーソルキー３６（「↑」又は「←」又は「無変換」キー）が６回押下されると、「晴れ」マークを網掛表示する（Ｓ３９，  図６の選択肢Ｇ５参照）。そして、「選択」キー３８が押下されるとランダム絵文字として、「晴れ」マークの登録が指定される（Ｓ４０）。
【００６２】
次に、２つ目のランダム絵文字の登録を指定する。１つ目のランダム絵文字の登録が指定された状態（Ｓ４０）で、ユーザにより、再度「記号」キー３４が押下されると、直近アクセス値の「暮らし」が反転表示され（Ｓ４１）、「選択」キー３８が押下されると、グループ「暮らし」の候補を表示する（Ｓ４２）。ここでは、直近アクセス値の「晴れ」マークを網掛表示する。そして、ユーザにより、カーソルキー３６（「↓」又は「→」又は「変換」キー）が１回押下されると、「曇り」マークを網掛表示し（Ｓ４３）、「選択」キー３８が押下されると２つ目のランダム絵文字として、「曇り」マークが登録される（図１２のＳ４４）。
【００６３】
上記の要領で（Ｓ４０からＳ４４の操作を繰り返すことで）、３つ目のランダム絵文字は「雨」マーク、４つ目のランダム絵文字は「雷」マークと、全部で４つのランダム絵文字が登録される（Ｓ４５，  全て図６の選択肢Ｇ５の中から選択して登録される）。この状態で、ユーザにより「選択」キー３８が押下されると、画面４１は、「連続記号登録実行画面」に遷移し（Ｓ４６）、０．７５秒ほど経過すると、画面４１は「テキスト画面」に遷移する（Ｓ４７）。以上の操作により、ランダム絵文字の登録が完了する。
【００６４】
なお、ＣＧ−ＲＯＭ２３０（記憶手段）に記憶されていない絵文字指定データ（ビットマップデータ）を外部の記憶装置より入力し、ＣＧ−ＲＯＭ２３０に記憶させるようにしてもよい。この構成によれば、ユーザのニーズにあった必要最小限の絵文字指定データだけをＣＧ−ＲＯＭ２３０に記憶させることができる。したがって、記憶容量を最小限にとどめることができると共に、これに伴って、記憶手段に記憶された絵文字指定データの中から１の絵文字指定データを迅速に選択することができる。
【００６５】
また、ランダム絵文字の登録は、「記号」グループ（図５および図６に示す絵文字）の中からだけでなく、「かな文字」や「アルファベット」、「数字」など、キーボード３から直接入力可能なキャラクタの登録も可能である。
【００６６】
また、ランダム絵文字の登録の順序および登録数は上記の実施例によらず、いかなる順序および登録数でもよい。なお、選択される確率を上げたいランダム絵文字は他の絵文字よりも多く登録するなどして、選択される確率を調整することも可能である。
【００６７】
次に、上述の操作で登録された絵文字指定データの呼出について図１３および図１４を参照して説明する。なお、この操作は前述した絵文字指定データの登録操作に続いて行われたものとする。図１３に示すように、まず、「テキスト画面」（Ｓ５１：図１２のＳ４７と同様）において、ユーザにより「記号」キー３４が押下されると、画面４１は「記号選択画面」に遷移し、直近アクセス値の「連続１」を反転表示する（Ｓ５２）。ここで、ユーザにより「選択」キー３８が押下されると、画面４１は「連続処理内容選択画面」に遷移し（Ｓ５３）、ユーザによりカーソルキー３６（「↓」又は「→」又は「変換」キー）が押下されると「呼出」を網掛表示する（Ｓ５４）。
【００６８】
続いて、ユーザにより「選択」キー３８が押下されると、画面４１は、「変更則選択画面」へ遷移し、直近アクセス値の「コード順」を反転表示する（Ｓ５５）。そして、ユーザによりカーソルキー３６（「↓」又は「→」又は「変換」キー）が２回押下されると「ランダム２」を網掛表示し（Ｓ５６）、「選択」キー３８が押下されると、画面４１は、「テキスト画面」に遷移する（Ｓ５７）。ここでは、選択されたグループ「連続１」における絵文字（ランダム絵文字）を連続的に選択することを示す反転「連１」マークとその隣に網掛「？」マークを表示する（Ｓ５７）。ここで、ユーザにより「印刷」キー３７が押下されると、画面４１は「印刷実行画面」に遷移し（図１４のＳ５８）、図１４に示すテープＴ３が作成される。テープＴ３には、テキスト「運勢；」の後にランダム絵文字として、「雨」マークが付される。印刷が完了すると、画面４１は「テキスト画面」に戻るが、画面４１上は図１３の（Ｓ５７）と同様の表示である（Ｓ５９）。
【００６９】
ここで、ユーザにより「印刷」キー３７が押下されると、画面４１は「印刷実行画面」に遷移し（Ｓ６０）、テープＴ４が作成される。テープＴ４には、テキスト「運勢；」に、ランダム絵文字として、「晴れ」マークが付される。同様に、「テキスト画面」（Ｓ６１）から再度「印刷」キー３７が押下されると、画面４１は「印刷実行画面」に遷移し（Ｓ６２）、テープＴ５が作成される。テープＴ５には、テキスト「運勢；」にランダム絵文字として、「晴れ」マークが付される。このように、「印刷」キー３７を押下する毎にランダムに１の絵文字指定データが選択され、その絵文字指定データにより指定される絵文字がテープ上の所定の位置に印刷される。
【００７０】
作成された印刷物は、図１５に示すとおりであり、「晴れ」、「曇り」、「雨」、「雷」と、４つのランダム絵文字が、印刷指示毎に同じ確率で（全て１づつ登録されている，図１０ないし図１２参照）ランダムに選択されて所定の文字列「運勢；」と共に印刷される。
【００７１】
なお、本発明の応用例として、図１６に示すような印刷物を作成することも可能である。同図に示すように、これらは「どうぶつビンゴ」を楽しむための配布カード（ａ）と、当たりカード（ｂ）である。まず、配布カード（ａ）は、「生き物−動物」グループ（選択肢Ｇ５）を指定して１のランダム絵文字印刷を指示する。これを３回繰り返し、３つのランダム絵文字をそれぞれ指定し、さらにこれを３行分作成する（作成手順は図８および図９参照）。そして、枠を付して印刷を行うと、印刷指示毎に、ランダムに動物の絵柄が縦横それぞれ３つずつ選択されて印刷される（ここでは、「Ａさん」、「Ｂさん」、「Ｃさん」に配布するカードとして３枚だけ表示する）。
【００７２】
次に、「ランダム絵文字」と「連続英数字」を組み合わせて当たりカード（ｂ）を作成する。作成方法は、まず「連続英数字」として、１から適当な数までの数字を指定し、印刷を指示する（作成手順は図８および図９参照，「連番選択画面」では、「連続英数字」、「変更則選択画面」では、「コード順」を選択する）。そして、「ランダム絵文字」として、「生き物−動物」グループ（選択肢Ｇ６）を指定して１のランダム絵文字印刷を指示する。すると、印刷指示毎に（「印刷」キーを押下する毎に）「１．（選択されたランダム絵文字）」、「２．（選択されたランダム絵文字）」、「３．（選択されたランダム絵文字）」・・・と、印刷される。そして、配布された３人は、当たりカード（ｂ）のランダム絵文字にしたがって、自分の配布カード（ａ）のランダム絵文字を消去していくことで、「どうぶつビンゴ」を楽しむ（この場合は、「Ｃさん」の勝ち）。
【００７３】
以上、詳述したとおり、本発明のテープ印刷装置１および印刷方法によれば、複数の絵文字指定データを記憶し、これらの絵文字指定データの中から、ランダムに１の絵文字指定データを選択すると共に、１の絵文字指定データに対応する絵文字を印刷することができる。このため、特に絵文字の内容・順序にはこだわらないが、ある特定の文字列に対して何か絵文字を飾りとして付したい場合など、ユーザは、１度印刷指示を出せば、その後印刷毎の絵文字の設定が必要なくなるため、迅速且つ簡単に印刷を行うことができる。また、１の絵文字指定データをランダムに選択するため、ユーザは次にどの絵文字が印刷されるかを予測するなど、印刷を楽しむことができる。
【００７４】
また、絵文字指定データが文字以外の絵柄を指定するものが含まれるため、視覚的にインパクトのある印刷物を作成することができると共に、印刷物の汎用性を向上させることができる。
【００７５】
また、複数の絵文字指定データを、使用目的に応じてグループ毎に分類して記憶することができるため、ユーザは、様々な機能を楽しむことができる。
【００７６】
また、予め記憶された絵文字指定データ以外に、ユーザの所望する複数の絵文字指定データを登録し、これを記憶することができるため、ユーザのニーズにあった印刷を行うことができる。
【００７７】
また、記憶手段（ＣＧ−ＲＯＭ２３０）に記憶されていない絵文字指定データを外部の記憶装置より入力し、記憶手段に記憶させることができるため、記憶容量を最小限にとどめることができると共に、これに伴って、記憶手段に記憶された絵文字指定データの中から１の絵文字指定データを迅速に選択することができる。
【００７８】
また、被印刷媒体Ｔがテープ状部材であるため、テープ印刷装置１に利用することができ、ラベルなどを作成する場合に便利である。また、被印刷媒体を巻回して印刷装置内に収容すれば、装置構成をコンパクトにすることができる。
【００７９】
なお、実施例では、絵文字指定データの選択は、例えば図５の選択肢Ｇ７の場合、グループ「丸文字」、グループ「漢数字」など最下位層のグループから選択されるとしたが、これらのグループ（選択肢Ｇ７内のグループ）を全て含む１階層上のグループ「数字」に属する絵文字指定データの中から選択可能に構成してもよい。また、更に上階層の「記号」の中から選択可能に構成してもよい。この構成によれば、「数字」であればいかなる種類の数字が印刷されてもよい場合など、グループの選択を迅速且つ簡単に行うことができる。
【００８０】
また、上記の実施例では、グループの中から１つ（全角文字の１スペース分）の絵文字が選択されて印刷されるとしたが、複数の絵文字をまとめて絵文字列として、グループ内に記憶しておき、絵文字列が印刷指示毎にランダムに印刷されるよう構成してもよい。この構成によれば、例えば、「＊大吉＊ラッキー！＋（笑顔マーク）」、「＊中吉＊ふつうだね！＋（微笑みマーク）」、「＊凶＊最悪＋（泣き顔マーク）」など、関連する絵文字や文字がまとめて１つの絵文字列として記憶されているため、よりテキストの入力の手間を省くことができると共に汎用性を高めることができる。
【００８１】
また、上記の実施例では、絵文字の印刷はユーザにより、１回の印刷指示で、一枚目の絵文字が印刷され、２回目の印刷指示で２枚目の絵文字が印刷されるよう構成したが、１回の印刷指示が成されたとき、一枚目の絵文字、２枚目の絵文字と、ユーザから印刷を終了する指示がなされるまで続けて印刷されるよう構成してもよい。この構成によれば、グループ内の全ての絵文字（グループが「干支」の場合には１２個の絵文字）が、１回の印刷指示で印刷することができるため、利便性が向上する。
【００８２】
また、「絵文字指定データ」とは、「絵文字」を指定するための「文字コード」の他、「絵文字」そのものを表現する「ビットマップデータ」や、「絵文字」を指定するための「プログラムデータ」なども含むものである。すなわち、１の「絵文字指定データ」を選択することにより、結果的にこれに対応する「ビットマップデータ」を得られるものであればよい。
【００８３】
また、「１の絵文字指定データの選択」は、印刷が終了した時点で行われてもよいし、ユーザにより印刷が指示された時点で行われてもよく、結果的に、何らかのタイミングで選択された１の絵文字指定データに対応する絵文字が印刷されればよい。
【００８４】
また、「ランダム絵文字を印刷する」方法としては、上述の実施例のように、画面４１上に表示させるための（絵文字指定データを含む）表示用データと印刷を行うための（絵文字指定データを含む）印刷用データを共に不動にして、印刷用データ内の絵文字指定データのみを変化させて印刷する方法（すなわち、画面４１上は、共通の「？」マークでランダム絵文字を表示し、印刷時には通常の文字列は変わらず絵文字指定データのみを変化させて印刷する方法）に限定されるものではない。
【００８５】
例えば、表示用データは不動で、印刷用データを内部的に変化させたり、表示用データと印刷用データとが共に変化して印刷させたりする（つまり、画面上の表示内容に忠実に印刷を行う）方法でもよい。この構成によれば、ユーザは次にどのランダム絵文字が印刷されるかを確認することができる。
【００８６】
また、印刷用データ（表示用データ）内に「（ランダム）絵文字」の対象となる「文字コード」を格納し、この「（ランダム）絵文字」の「補助データ」として、「絵文字指定データ（文字コード）」を格納し、この「補助データ」を更新することで１の絵文字を選択するようにしてもよい。
【００８７】
また、印刷用データ（表示用データ）内の「（ランダム）絵文字」の対象となる「文字コード」に「連番ビット」を立てておき、この「連番ビット」が立っている「文字コード」のみを更新することで１の絵文字を選択するようにしてもよい。
【００８８】
また、複数の「絵文字指定データ」は、内部処理的にグループ化されていてもグループ化されていなくてもよい。例えば、前者の場合、「絵文字指定データ」には、各グループ毎に設定された「グループコード」が付され、同一の「グループコード」が付された「絵文字指定データ」内でランダムに１の絵文字指定データが選択されるようにしてもよい。
【００８９】
また、上述の実施形態では、テープ印刷装置を例を挙げたが、他の印刷装置への応用が可能であり、本発明の要旨を逸脱しない範囲で、適宜変更も可能である。
【００９０】
【発明の効果】
上述のように、本発明の印刷装置および印刷方法によれば、ユーザの印刷指示により複数の絵文字を順次ランダムに印刷することで、絵文字の設定の手間を省き、迅速且つ簡単に印刷を行うことができると共に娯楽として楽しむことができる、などの効果がある。
【図面の簡単な説明】
【図１】本発明の一実施形態に係る印刷装置および印刷方法を適用したテープ印刷装置の外観斜視図である。
【図２】図１のテープ印刷装置に対応する開蓋状態の外観斜視図である。
【図３】図１のテープ印刷装置の制御系のブロック図である。
【図４】図４は、絵文字や記号の登録および呼出を指定する「記号」キーを押下したときのメニュー階層を示す説明図である。
【図５】図４のメニュー階層における第一階層および第二階層で表示される絵文字候補の一覧を示す説明図である。
【図６】図５に続くメニュー階層における第一階層および第二階層で表示される絵文字候補の一覧を示す説明図である。
【図７】ランダムに選択される絵文字指定データの一例を示す説明図である。
【図８】連番印刷の印刷方法の一例を画面表示で示す説明図である。
【図９】図８に続く連番印刷の印刷方法の一例を画面表示で示す説明図である。
【図１０】絵文字指定データの登録方法の一例を画面表示で示す説明図である。
【図１１】図１０に続く絵文字指定データの登録方法の一例を画面表示で示す説明図である。
【図１２】図１１に続く絵文字指定データの登録方法の一例を画面表示で示す説明図である。
【図１３】絵文字指定データの呼出方法および印刷方法の一例を画面表示で示す説明図である。
【図１４】図１３に続く絵文字指定データの呼出方法および印刷方法の一例を画面表示で示す説明図である。
【図１５】図１３および図１４による印刷結果を示す説明図である。
【図１６】本発明の印刷方法による印刷結果の一例を示す説明図である。
【符号の説明】
１      テープ印刷装置
３      キーボード
４      ディスプレイ
５      テープカートリッジ
７      印刷ヘッド
１１    操作部
１２    印刷部
１３    切断部
１４    検出部
３１    文字キー群
３２    機能キー群
３３    連番キー
３４    記号キー
３６    カーソルキー
３７    印刷キー
４１    画面
２００  制御部
２１０  ＣＰＵ
２２０  ＲＯＭ
２３０  ＣＧ−ＲＯＭ
２４０  ＲＡＭ
Ｋ      カーソル
Ｔ      テープ
【図１】
0003580235.tif 000002
【図２】
0003580235.tif 000003
【図３】
0003580235.tif 000004
【図４】
0003580235.tif 000005
【図５】
0003580235.tif 000006
【図６】
0003580235.tif 000007
【図７】
0003580235.tif 000008
【図８】
0003580235.tif 000009
【図９】
0003580235.tif 000010
【図１０】
0003580235.tif 000011
【図１１】
0003580235.tif 000012
【図１２】
0003580235.tif 000013
【図１３】
0003580235.tif 000014
【図１４】
0003580235.tif 000015
【図１５】
0003580235.tif 000016
【図１６】
0003580235.tif 000017